(57)【要約】【課題】ビスやリベット等の結合部材を使用することなく容易にエアフィルタ枠を構成できることを目的とする。【解決手段】コーナー部材と押出枠部材とが連結してなる枠体であって、コーナー部材は押出枠部材との連結方向に係合部を有し、係合部が押出枠部材と係合する突起を有し押出枠部材は底面部と側面部とからなる断面が略コの字型の形状を有したものであって、底面部には中空部を有した中空構造としたという構成にしたことにより、中空部に係合部が挿入するので、ビスやリベット等の結合部材を使用することなく容易に外れることを防止することできるエアフィルタ枠１０を得られる。【選択図】図３
2014195795.tif 000002
【特許請求の範囲】
【請求項１】
コーナー部材と押出枠部材とが連結してなるエアフィルタ枠体であって、前記コーナー部材は前記押出枠部材との連結方向に係合部を有し、前記係合部が前記押出枠部材と係合する突起を有し前記押出枠部材は底面部と側面部とからなる断面が略コの字型の形状を有したものであって、前記底面部を中空部を有した中空構造としたことを特徴とするエアフィルタ枠。
【請求項２】
中空構造の中空部にリブを１本もしくは複数設けたことを特徴とするエアフィルタ枠。
【請求項３】
押出枠部材の端部に、コーナー部材に設けた突起と係合する係合穴を設けたことを特徴とする請求項１に記載のエアフィルタ枠。
【請求項４】
フィルタの枠体と濾材の接着に一液性シリコーン接着剤を用いることを特徴とした請求項１に記載のエアフィルタ枠。
【請求項５】
コーナー部材と押出枠部材とが一体成型としたことを特徴とする請求項１に記載のエアフィルタ枠。
【発明の詳細な説明】
【技術分野】
【０００１】
本発明は、ビルや工場の空調に用いられる空気調和機などに組み込まれて使用されるエアフィルタの枠構造に関するものである。
【背景技術】
【０００２】
従来、この種のエアフィルタは、プリーツ折りされた濾材の周囲を木材や金属で形成された枠で囲うように作られたものが知られている。
【０００３】
また、木材や金属の代用として組立性の良い樹脂枠を用いたものが知られている（例えば、特許文献１参照）。
【０００４】
以下、それらのエアフィルタ枠について図６を参照しながら説明する。
【０００５】
図６に示すように、プリーツ折りされた濾材１０１の周囲を木材や金属で形成された枠１０２で囲い、締結部１０３はリベット（ビス）１０４で固定して組立されるエアフィルタ枠１０５や、コーナー部材（図示せず）と中間部材１０７としての枠１０２を連結させて組立されるエアフィルタ枠が知られていた。
【先行技術文献】
【特許文献】
【０００６】
【特許文献１】特開２００８−１１９５６号公報
【発明の概要】
【発明が解決しようとする課題】
【０００７】
このような従来のエアフィルタ枠においては、枠構成部材を組み合わせる際にビスやリベット等を使って組み立てしていたが、ビスやリベットを使用した組み立ては面倒で作用効率が悪い、という課題を有していた。
【０００８】
また、先行技術文献に示されるエアフィルタにおいては中間部材に設けたレール状の溝部にコーナー部材の係合部突起を差し込むだけでは部材同士の係合強度が不十分であり、また中間部材に十分な強度がなければ強固な枠体を形成することが出来ないという課題があった。
【０００９】
そこで本発明は、上記従来の課題を解決するものであり、コーナー部材の係合部に設けた突起部を押出枠部材に有した空係合穴部に係合させることでビスやリベット等の結合部材を使用することなく容易かつより強固に部材同士を係合させることができ、強度を向上させることを目的として押出し枠部の底面部に中空構造を成型させることにより押出し枠部材に十分な強度を有したエアフィルタ枠を提供することを目的とする。
【課題を解決するための手段】
【００１０】
そして、この目的を達成するために、本発明は、コーナー部材と押出枠部材とが連結してなる枠体であって、前記コーナー部材は前記押出枠部材との連結方向に係合部を有し、前記係合部が前記押出枠部材と係合する突起を有し前記押出枠部材は底面部と側面部とからなる断面が略コの字型の形状を有したものであって、前記底面部は中空部を有した中空構造としたものであり、これにより所期の目的を達成するものである。
【発明の効果】
【００１１】
本発明によれば、コーナー部材と押出枠部材とが連結してなる枠体であって、前記コーナー部材は前記押出枠部材との連結方向に係合部を有し、前記係合部が前記押出枠部材と係合する突起を有し前記押出枠部材は底面部と側面部とからなる断面が略コの字型の形状を有したものであって、前記底面部は中空部を有した中空構造とした、という構成にしたことにより、押出枠部材の中空部にコーナー部材の係合部が挿入するので、ビスやリベット等の結合部材を使用することなく容易にエアフィルタ枠を組み立てすることができる、という効果を得ることができる。
【図面の簡単な説明】
【００１２】
【図１】本発明の実施の形態１のエアフィルタ枠のコーナー部材の構成を示す斜視図
【図２】同エアフィルタ枠の押出枠部材の構成を示す斜視図
【図３】同エアフィルタ枠の外観を示す斜視図
【図４】同エアフィルタ枠の組み立て状態を示す詳細図
【図５】同エアフィルタ枠に一液性シリコーン接着剤を塗布した状態を示す斜視図
【図６】本発明の実施の形態２のエアフィルタ枠の連結枠部材を示す斜視図
【図７】同エアフィルタ枠の組み立て状態を示す斜視図
【図８】従来のエアフィルタ枠の構成を示す斜視図
【発明を実施するための形態】
【００１３】
本発明の請求項１記載のエアフィルタ枠は、コーナー部材と押出枠部材とが連結してなる枠体であって、前記コーナー部材は前記押出枠部材との連結方向に係合部を有し、前記係合部が前記押出枠部材と係合する突起を有し前記押出枠部材は底面部と側面部とからなる断面が略コの字型の形状を有したものであって、前記底面部は中空部を有した中空構造とした、という構成を有する。
【００１４】
これにより、押出枠中空部にコーナー部材の係合部が挿入することで枠体を構成できるので、ビスやリベット等の結合部材を使用することなく容易にエアフィルタ枠を構成することができる、という効果を奏する。
【００１５】
また、中空構造の中空部にリブを１本もしくは複数設ける、という構成にしてもよい。
【００１６】
これにより、中空部に複数の中空構造を配列することができるので、押出枠部材の強度を向上することができ、結果としてエアフィルタ枠全体の強度を増すことが出来る、という効果を奏する。
【００１７】
また、押出枠部材の端部に、コーナー部材に設けた突起と係合する係合穴を設けた、という構成にしてもよい。
【００１８】
これにより、コーナー部材の突起部が押出枠部材の係合穴に係合することとなるので、容易に係合部が外れにくくすることができる、という効果を奏する。
【００１９】
また、エアフィルタを組み立てる際にフィルタの枠体と濾材の接着に粘性の高い一液性のシリコーンを用いる、という構成にしてもよい。
【００２０】
これにより、濾材と枠体の接着時に粘性の高い一液性のシリコーンを枠体に塗布することで、フィルタの枠体から接着剤の漏れや垂れが発生しないのでフィルタの枠体と濾材の組み立て時に方向性を気にすることなく組立の作業性を向上することができる、という効果を奏する。
【００２１】
また、コーナー部材と押出枠部材とが一体成型とした、という構成にしてもよい。
【００２２】
これにより、同じ材料でコーナー部材と押出枠部材とが連結しているので、エアフィルタの組み立て時の部品点数が少なくなり、生産性を向上することができる、という効果を奏する。
【００２３】
以下、本発明の実施の形態について図面を参照しながら説明する。
【００２４】
（実施の形態１）
図１に示すように、Ｌ字形状に成型され係合部２を有するコーナー部材１は、連結方向に複数の爪形状を有する係合部２を設け、かつ、その係合部２の両端部に凸状のリブ３を複数設け、底面部９と側面部１３とからなる断面が略コの字型の形状を有した押出枠部材５の底面部９に設けた各々の係合部２は中空部６に嵌め合うようになっている。
【００２５】
コーナー部材１の材質としては、成型性のよい樹脂（例えばポリプロピレン）にて成型されることが望ましい。
【００２６】
また、図２に示すように、押出枠部材５は底面部９に中空構造を成形した中空部６は複数有する形状になっており、中空部６には、図１に示したコーナー部材１の係合部２が嵌るようになっている。
【００２７】
係合部２に形成したリブ３の厚みを中空部６の開口の厚み方向の寸法よりもやや大きめの厚みとしておけば、押出枠部材５とコーナー部材１とが係合した際にリブ３が押出枠部材５の中空部６の内面を押し潰すように係合することになるので、図１に示したコーナー部材１の係合部２に形成したリブ３が締まり嵌めになって、容易に外れないという効果を得ることができる。
【００２８】
また、図２において、押出枠部材５はリブ７を複数設けた中空部６を有する形状になっおり、リブ７を１本もしくは複数設けることで中空構造を増して曲げ応力が増すことで押出枠部材５の曲げやねじれ強度を増すことができ、結果として、押出枠部材５を用いたエアフィルタ枠１０は変形に対し強い構造となる。
【００２９】
また、図２および図３において、押出枠部材５の端部に係合穴８を設け、コーナー部材１の係合部２に設けた突起部４が嵌合できるようにする。
【００３０】
なお、この突起部４（リブ３も含む）の挿入する先端側は、挿入側から上方斜めに向かって傾斜（例えば、４０度位）させ、対向する側は垂直になるように成形している。
【００３１】
これにより、ビスやリベットのような結合部品を使わないで、コーナー部材１と押出枠部材５が挿入時は斜めの形状に沿って突起部４と係合穴８とが嵌合し、脱着時には突起部４の垂直面が係合穴８の内面に接触しているので、結果、コーナー部材１と押出枠部材５とを容易に外すことを防止することができる。
【００３２】
なお、コーナー部材１の係合部２に設けた突起部４と係合穴８は、丸形状であっても角形状であっても良いことは言うまでもない。
【００３３】
また、図３および５において、エアフィルタ枠１０にろ材１１を接着する際、通常は資材費として安価な二液性ウレタン接着剤が広く用いられているが、二液性ウレタン接着剤は、時に硬化不良をおこしたり、粘度が低いため、エアフィルタ枠１０から漏れ出すことがあるが、粘度の高く硬化不良がおきない一液性シリコーン接着剤１２を用いることが特に有用である。
【００３４】
一液性シリコーン接着剤１２は、洗面台と壁のコーキングや外壁の目地を埋めるために一般的に使用されているものであり、熱や紫外線にも強いと言う特性を有している。
【００３５】
また、塗布作業時には粘度が高いため天井面や側面に塗布しても垂れの発生がないということが特徴である。
【００３６】
この特徴を生かしてエアフィルタ枠１０とろ材１１との接着に用いることで、これまで二液性ウレタン接着剤と異なり、接着剤が流動しないので取り回しが容易となり、接着剤が硬化しなくても組み付け作業ができる。
【００３７】
（実施の形態２）
実施の形態１と違うところは、図６に示すように、コーナー部材１と押出枠部材５とが一体成型とした１組の連結枠部材１４、という構成で、その他の構成については同様の符号を付与し、詳細な説明は省略する。
【００３８】
この構成により、同じ材料すなわち安価で成型性の良いポリプロピレンでコーナー部材１と押出枠部材５とが一体成型して得られた連結枠部材１４を用いることで、エアフィルタの組み立て時の部品点数が半減（８点から４点）するので少なくなり、生産性を約２倍へ向上させることができる。
【００３９】
また、コーナー部材１と押出枠部材５を一体成型したことで、接合部がなくなり、ろ材１１を連結枠部材１４から一液性シリコーン材１２が漏れ出すことがなく、拭き取る作業をなくすことができ、生産性の向上に寄与することができる。
【００４０】
また、接合部による線がなくなるので、外観の美観性を向上させることができる。
【産業上の利用可能性】
【００４１】
本発明にかかるエアフィルタ枠は、ビスやリベット等の結合部材を使用することなく容易にかつ比較的強固なエアフィルタ枠を得られるので、ビルや工場の空調に用いられる空気調和機などに組み込まれて使用されるエアフィルタの枠として有用である。
【符号の説明】
【００４２】
１  コーナー部材
２  係合部
３  リブ
４  突起部
５  押出枠部材
６  中空部
７  リブ
８  係合穴
９  底面部
１０  エアフィルタ枠
１１  ろ材
１２  一液性シリコーン接着剤
【図１】
2014195795.tif 000003
【図２】
2014195795.tif 000004
【図３】
2014195795.tif 000005
【図４】
2014195795.tif 000006
【図５】
2014195795.tif 000007
【図６】
2014195795.tif 000008
【図７】
2014195795.tif 000009
【図８】
2014195795.tif 000010